(57)【要約】【課題】貯蔵室側から冷却ファンの点検や交換を行うことが可能な冷却貯蔵庫を提供する。【解決手段】前方に開口された箱状をなす断熱箱１１と、前方に開口された貯蔵室３０Ａを有する箱状をなし、断熱箱１１の内面との間に冷気通路Ｓ１を形成した状態で断熱箱１１の内部に収容される貯蔵箱３０と、貯蔵箱３０の外側に配される冷却器２７と、貯蔵箱３０の外側に配され、冷却器２７により冷やされた空気を冷気通路Ｓ１に供給する冷却ファン６０と、を備え、貯蔵箱３０は、冷却ファン６０を貯蔵室３０Ａ側に露出させる開口部３５Ａを有する貯蔵箱本体部３５と、開口部３５Ａを塞ぐ天井壁部３３と、を備え、天井壁部３３と貯蔵箱本体部３５とは、ねじ３２Ｂによって互いに締結されており、ねじ３２Ｂによる天井壁部３３と貯蔵箱本体部３５との締結を貯蔵室３０Ａ側から解除することが可能な構成であることに特徴を有する。【選択図】図６
2020106171.tif 000002
【特許請求の範囲】
【請求項１】
前方に開口された箱状をなす外箱と、
前方に開口された貯蔵室を有する箱状をなし、前記外箱の内面との間に空間を形成した状態で前記外箱の内部に収容される内箱と、
前記内箱の外側に配される冷却器と、
前記内箱の外側に配され、前記冷却器により冷やされた空気を前記空間に供給する冷却ファンと、を備え、
前記内箱は、
前記冷却ファンを前記貯蔵室側に露出させる開口部を有する内箱本体部と、
前記開口部を塞ぐ蓋部と、を備え、
前記蓋部と前記内箱本体部とは、締結部材によって互いに締結されており、
前記締結部材による前記蓋部と前記内箱本体部との締結を前記貯蔵室側から解除することが可能な構成である冷却貯蔵庫。
【請求項２】
前記冷却ファンは、前記内箱の上方に配され、
前記内箱は、前記貯蔵室の天井を構成する天井壁部を備え、
前記蓋部は、前記天井壁部の少なくとも一部である請求項１に記載の冷却貯蔵庫。
【請求項３】
前記天井壁部は、
前記開口部を有すると共に前記内箱本体部の一部である天井壁本体部と、
前記蓋部と、を備え、
前記蓋部と前記天井壁本体部とは、前記締結部材によって互いに締結されている請求項２に記載の冷却貯蔵庫。
【請求項４】
前記蓋部は、前記開口部を上方から塞ぐと共に、前記天井壁本体部の上面によって下方から支持されている請求項３に記載の冷却貯蔵庫。
【請求項５】
前記天井壁本体部は、下方に膨出する形で湾曲する形状をなしており、
前記蓋部は、前記天井壁本体部の湾曲形状に倣って湾曲する形状をなしている請求項４に記載の冷却貯蔵庫。
【請求項６】
前記天井壁本体部の前記上面には、前記蓋部を前記上面に沿ってスライド変位可能に保持する保持部が設けられている請求項４又は請求項５に記載の冷却貯蔵庫。
【請求項７】
前記冷却器は、前記内箱の上方に配され、
前記冷却器と前記内箱の間に介在され、前記冷却器が収容される冷却器室を構成する冷却器室構成壁部を備え、
前記冷却器室構成壁部は、
前記冷却器を下方から覆う第１壁部と、前記冷却ファンが取り付けられる第２壁部と、を備え、
前記第１壁部と前記第２壁部とは、壁部用締結部材によって互いに締結されており、
前記壁部用締結部材による前記第１壁部と前記第２壁部との締結を前記貯蔵室側から解除することが可能な構成であり、
前記第２壁部は、前記開口部を通過可能な大きさで設定されている請求項２から請求項６のいずれか１項に記載の冷却貯蔵庫。
【請求項８】
前記冷却器は、前記内箱の上方に配され、
前記冷却器と前記内箱の間に介在され、前記冷却器が収容される冷却器室を構成する冷却器室構成壁部を備え、
前記冷却ファンと前記冷却器室構成壁部とは、ファン用締結部材によって互いに締結されており、
前記ファン用締結部材による前記冷却ファンと前記冷却器室構成壁部との締結を前記貯蔵室側から解除することが可能な構成である請求項２から請求項６のいずれか１項に記載の冷却貯蔵庫。
【請求項９】
前記蓋部は、透明な材質によって構成されている請求項１から請求項８のいずれか１項に記載の冷却貯蔵庫。
【発明の詳細な説明】
【技術分野】
【０００１】
本発明は、冷却貯蔵庫に関する。
【背景技術】
【０００２】
従来、冷却貯蔵庫として、断熱箱体である外箱（本体）の内部に貯蔵室を有する内箱（貯蔵箱）が収容されたものが知られている（下記特許文献１）。特許文献１には、冷却ファン（庫内ファン）が駆動することで、外箱と内箱の間に設けられた冷気通路に冷気が循環供給され、内箱の壁部が冷やされることで間接的に貯蔵室が冷却される構成が記載されている。
【先行技術文献】
【特許文献】
【０００３】
【特許文献１】特開２００８−３２２５８号公報
【発明の概要】
【発明が解決しようとする課題】
【０００４】
上記構成では、冷却ファンと貯蔵室の間に内箱の壁部が介在されている。このため、貯蔵室側から冷却ファンの点検や交換を行うことが困難である。貯蔵室は前方に開口された空間であるため、貯蔵室側から冷却ファンの点検や交換を行うことができれば、容易に作業を行うことができる。このため、貯蔵室側から冷却ファンの点検や交換を行うことが可能な構成が求められている。
【０００５】
本発明は上記のような事情に基づいて完成されたものであって、貯蔵室側から冷却ファンの点検や交換を行うことが可能な冷却貯蔵庫を提供することを目的とする。
【課題を解決するための手段】
【０００６】
上記課題を解決するために、本発明の冷却貯蔵庫は、前方に開口された箱状をなす外箱と、前方に開口された貯蔵室を有する箱状をなし、前記外箱の内面との間に空間を形成した状態で前記外箱の内部に収容される内箱と、前記内箱の外側に配される冷却器と、前記内箱の外側に配され、前記冷却器により冷やされた空気を前記空間に供給する冷却ファンと、を備え、前記内箱は、前記冷却ファンを前記貯蔵室側に露出させる開口部を有する内箱本体部と、前記開口部を塞ぐ蓋部と、を備え、前記蓋部と前記内箱本体部とは、締結部材によって互いに締結されており、前記締結部材による前記蓋部と前記内箱本体部との締結を前記貯蔵室側から解除することが可能な構成であることに特徴を有する。
【０００７】
上記構成によれば、締結部材による蓋部と内箱本体部との締結を貯蔵室側から解除した後、蓋部を動かすことで開口部を開放することができる。これにより、貯蔵室側から開口部を通じて冷却ファンの点検や交換を行うことができる。
【０００８】
また、前記冷却ファンは、前記内箱の上方に配され、前記内箱は、前記貯蔵室の天井を構成する天井壁部を備え、前記蓋部は、前記天井壁部の少なくとも一部であるものとすることができる。蓋部を移動させて開口部を開放することで、開口部を通じて下方から冷却ファンの点検や交換を行うことができる。
【０００９】
また、前記天井壁部は、前記開口部を有すると共に前記内箱本体部の一部である天井壁本体部と、前記蓋部と、を備え、前記蓋部と前記天井壁本体部とは、前記締結部材によって互いに締結されているものとすることができる。蓋部が天井壁部の一部であるため、天井壁部の全部が蓋部である構成と比べて、蓋部を小さくすることができ、蓋部を容易に動かすことができる。
【００１０】
また、前記蓋部は、前記開口部を上方から塞ぐと共に、前記天井壁本体部の上面によって下方から支持されているものとすることができる。蓋部を天井壁本体部の上面に載置した状態で、締結部材の着脱作業を行うことができ、作業性をより高くすることができる。
【００１１】
また、前記天井壁本体部は、下方に膨出する形で湾曲する形状をなしており、前記蓋部は、前記天井壁本体部の湾曲形状に倣って湾曲する形状をなしているものとすることができる。天井壁本体部が自重等によって下方に膨出する形で湾曲している場合において、仮に蓋部が水平方向に沿って延びる平坦な形状をなすものとした場合、天井壁本体部と蓋部との間に隙間が生じる。上記構成のように、蓋部を天井壁本体部の湾曲形状に倣って湾曲する形状とすれば、蓋部と天井壁本体部との間に隙間が生じる事態を抑制することができる。
【００１２】
また、前記天井壁本体部の前記上面には、前記蓋部を前記上面に沿ってスライド変位可能に保持する保持部が設けられているものとすることができる。蓋部をスライド変位可能に保持することで、開口部を開放した状態と、開口部を塞いだ状態との間で容易に蓋部を変位させることができる。
【００１３】
また、前記冷却器は、前記内箱の上方に配され、前記冷却器と前記内箱の間に介在され、前記冷却器が収容される冷却器室を構成する冷却器室構成壁部を備え、前記冷却器室構成壁部は、前記冷却器を下方から覆う第１壁部と、前記冷却ファンが取り付けられる第２壁部と、を備え、前記第１壁部と前記第２壁部とは、壁部用締結部材によって互いに締結されており、前記壁部用締結部材による前記第１壁部と前記第２壁部との締結を前記貯蔵室側から解除することが可能な構成であり、前記第２壁部は、前記開口部を通過可能な大きさで設定されているものとすることができる。上記構成によれば、第２壁部を第１壁部から取り外した後、開口部及び貯蔵室を通じて、冷却貯蔵庫の外部に移動させることができる。このため、第２壁部に設けられている冷却ファンの交換作業を容易に行うことができる。
【００１４】
また、前記冷却器は、前記内箱の上方に配され、前記冷却器と前記内箱の間に介在され、前記冷却器が収容される冷却器室を構成する冷却器室構成壁部を備え、前記冷却ファンと前記冷却器室構成壁部とは、ファン用締結部材によって互いに締結されており、前記ファン用締結部材による前記冷却ファンと前記冷却器室構成壁部との締結を前記貯蔵室側から解除することが可能な構成であるものとすることができる。上記構成によれば、冷却ファンを冷却器室構成壁部から取り外した後、開口部及び貯蔵室を通じて、冷却貯蔵庫の外部に移動させることができる。このため、冷却ファンの交換作業を容易に行うことができる。
【００１５】
また、前記蓋部は、透明な材質によって構成されているものとすることができる。蓋部が開口部を塞いだ状態において、貯蔵室側から開口部を通じて冷却ファンを目視することができるため、蓋部を取り外すことなく、冷却ファンが正常に動作しているか否かの確認を行うことができる。
【発明の効果】
【００１６】
本発明によれば、貯蔵室側から冷却ファンの点検や交換を行うことが可能な冷却貯蔵庫を提供することができる。
【図面の簡単な説明】
【００１７】
【図１】本発明の実施形態１に係る冷却貯蔵庫を示す正面図
【図２】冷却貯蔵庫を示す斜視図
【図３】断熱箱及び貯蔵箱を示す斜視図
【図４】冷却貯蔵庫を示す断面図
【図５】冷却貯蔵庫を機械室側から視た斜視図
【図６】天井壁部を取り外した状態の冷却貯蔵庫を示す斜視図
【図７】貯蔵室を示す斜視図
【図８】側壁部に設けられた延設壁部と天井壁部との締結構造を示す断面図
【図９】後壁部に設けられた延設壁部と天井壁部との締結構造を示す断面図
【図１０】エアダクトを示す斜視図
【図１１】シュラウドパネルを取り外した状態のエアダクトを示す斜視図
【図１２】実施形態２に係る冷却貯蔵庫において蓋部を取り外した状態を示す斜視図
【図１３】実施形態２に係る貯蔵箱を示す斜視図
【図１４】実施形態３に係る貯蔵箱を示す斜視図
【図１５】実施形態４に係る貯蔵箱を示す断面図
【図１６】実施形態４に係る貯蔵箱において蓋部を取り外した状態を示す断面図
【図１７】実施形態４に対する比較例を示す断面図
【図１８】実施形態５に係る貯蔵箱を示す斜視図
【図１９】実施形態６に係る冷却貯蔵庫を示す斜視図
【図２０】実施形態７に係る冷却ファンの締結構造を示す斜視図
【図２１】実施形態８に係る断熱箱及び貯蔵箱を示す斜視図
【図２２】実施形態８に係る断熱箱を示す斜視図
【図２３】実施形態８に係るブラケットを示す斜視図
【図２４】実施形態８に係るブラケット及びフックを示す側面図
【図２５】実施形態８に係る保持部及び延設壁部８３６を示す斜視図
【図２６】実施形態８に係る延設壁部８３６付近を示す斜視図
【図２７】保持部の変形例を示す斜視図
【図２８】実施形態８に係る断熱箱にパネル部材８３４Ｌを組み付けた状態を示す斜視図
【図２９】図２８の貯蔵室を下方から視た斜視図
【図３０】ねじ８２０及び貫通孔８３７を示す斜視図
【図３１】実施形態９に係るブラケット及びフックを示す側面図
【図３２】実施形態１０に係るブラケット及びフックを示す側面図
【図３３】実施形態１１に係る天井壁部を示す斜視図
【図３４】図３３において保持部付近を拡大して示す斜視図
【発明を実施するための形態】
【００１８】
＜実施形態１＞
本発明の実施形態１を図１から図１１によって説明する。本実施形態では、図１に示すように、４ドア式の冷却貯蔵庫１０を例示する。冷却貯蔵庫１０は、図１から図３に示すように、断熱箱１１（外箱）と、断熱箱１１の上方に配された機械室２０と、断熱箱１１の内部に収容され、貯蔵室３０Ａを構成する貯蔵箱３０（内箱）と、を備える。断熱箱１１は、図３に示すように、前方に開口された箱状をなしている。具体的には、断熱箱１１は、図４に示すように、金属板からなる箱状の外装部材１１Ａと、外装部材１１Ａの内部に間隔を空けて収容され、金属板からなる箱状の内装部材１１Ｂと、外装部材１１Ａと内装部材１１Ｂとの間に充填された断熱材１１Ｃと、を備える。
【００１９】
貯蔵箱３０は、前方に開口された貯蔵室３０Ａを有する箱状をなしている。貯蔵箱３０は、ステンレス鋼板等の熱良導性の金属板を複数枚組み合わせることで構成されており、貯蔵箱３０は、断熱箱１１の内部空間よりも一回り小さいものとされ、断熱箱１１の内面との間に冷気通路Ｓ１（空間）を形成した状態で断熱箱１１の内部に収容されている。
【００２０】
貯蔵箱３０は、図３に示すように底壁部３１と、左右一対の側壁部３２，３２と、貯蔵室３０Ａの天井を構成する天井壁部３３と、後壁部３４と、を備える。上述した冷気通路Ｓ１は、図１及び図４に示すように、第１通路Ｓ１１と、第２通路Ｓ１２と、第３通路Ｓ１３と、一対の第４通路Ｓ１４，Ｓ１４と、を備える。第１通路Ｓ１１は、図４に示すように、断熱箱１１の内面のうち下方を向く下面１５Ａと天井壁部３３の外面との間に形成された空間である。第２通路Ｓ１２は、図４に示すように、断熱箱１１の内面のうち前方を向く前面１５Ｂと後壁部３４の外面との間に形成された空間である。
【００２１】
第３通路Ｓ１３は、図４に示すように、断熱箱１１の内面のうち上方を向く上面１５Ｃと底壁部３１の外面との間に形成された空間である。第４通路Ｓ１４は、図１に示すように、断熱箱１１の内面のうち側方を向く側面１５Ｄ（図３参照）と側壁部３２との間に形成された空間であり、一対の側壁部３２，３２の各々に対応して設けられている。なお、上記した断熱箱１１の内面（下面１５Ａ、前面１５Ｂ、上面１５Ｃ、側面１５Ｄ）は内装部材１１Ｂを構成する各パネル部材によって構成されている。
【００２２】
図１に示すように、断熱箱１１には、上下方向に２組配列された左右一対の扉１３，１３が回動可能に取り付けられており、貯蔵室３０Ａは扉１３によって開閉可能な構成となっている。なお、以下の説明では、扉１３側を前側、扉１３とは反対側を後側として説明する。また、正面視（冷却貯蔵庫１０を前側から視た状態）における左右方向（図１の左右方向）が冷却貯蔵庫１０の左右方向である。
【００２３】
機械室２０には、図２に示すように、冷却装置２１が設けられている。冷却装置２１は、凝縮器２２と、凝縮器ファン２３と、圧縮機２４と、を備える。凝縮器２２、凝縮器ファン２３、圧縮機２４は、図５に示すように、断熱性の基台２６上に設けられている。また、基台２６上には、冷却装置２１の制御を行う制御部２５（コントロールボックス）が設けられている。また、図４に示すように、基台２６の下面には、冷却器２７が設けられている。凝縮器２２と、凝縮器ファン２３と、圧縮機２４、制御部２５、冷却器２７は基台２６に取り付けられることでユニット化されている。また、機械室２０には、凝縮器２２を前方から覆うエアフィルタ２８（図２参照）が設けられている。
【００２４】
基台２６は、断熱箱１１の天井壁部１６に形成された窓孔１６Ａを上方から塞ぐようにして断熱箱１１に取り付けられている。断熱箱１１の天井壁部１６には、ドレンパンを兼ねたエアダクト５０が設けられ、エアダクト５０の上方には冷却器室Ｓ２が形成されている。冷却器２７は基台２６から下方に突き出す形で設けられており、冷却器室Ｓ２に収容されている。冷却器２７は、冷却装置２１と図示しない冷媒配管で循環接続され、周知の冷却サイクルを構成している。
【００２５】
エアダクト５０における前側の部分には吸込口５０Ａが形成され、後側の部分には吹出口５０Ｂが形成されている。吸込口５０Ａには、冷却ファン６０が設けられている。冷却ファン６０は、冷気通路Ｓ１の空気を冷却器室Ｓ２に吸引すると共に、冷却器２７により冷やされた空気を冷気通路Ｓ１に供給するものとされる。なお、冷却器２７及び冷却ファン６０は、貯蔵箱３０の外側に配されており、より詳しくは、貯蔵箱３０（天井壁部３３）の上方に配されている。また、本実施形態では、図５に示すように、２基の冷却ファン６０がエアダクト５０に設けられているが、冷却ファン６０の個数はこれに限定されず適宜変更可能である。なお、冷却ファン６０は、図５に示すように、羽根６０Ａと羽根６０Ａを回転させるモーター６０Ｂとを備える。
【００２６】
そして、冷却装置２１（圧縮機２４や凝縮器ファン２３）を運転しつつ冷却ファン６０を駆動すると、冷気通路Ｓ１の第１通路Ｓ１１の空気が冷却ファン６０によって吸込口５０Ａから冷却器室Ｓ２内に吸引され、その空気が冷却器２７を通過する際に熱交換によって冷やされる。冷却器２７により冷やされた空気（冷気）は吹出口５０Ｂから第２通路Ｓ１２に吹き出された後、第３通路Ｓ１３に向かい、その後、第３通路Ｓ１３から第４通路Ｓ１４に向かった（図１の矢線Ｌ１参照）後、第４通路Ｓ１４から第１通路Ｓ１１に向かう構成となっている（図１の矢線Ｌ２参照）。このようにして冷気通路Ｓ１内に冷気が循環供給されるようになっており、この冷気によって貯蔵箱３０を構成する各壁部（底壁部３１、側壁部３２、天井壁部３３、後壁部３４）が冷却されることで、貯蔵室３０Ａは間接的に冷却される。そのため貯蔵室３０Ａ内は、高湿度を保ったままで所定の温度に冷却されるようになっている。なお、このような冷却貯蔵庫１０は、恒温高湿庫と呼ばれることがある。また、貯蔵室３０Ａには、複数段にわたって貯蔵物（食品等）を配置するための棚網３０Ｂが配されている。
【００２７】
次に貯蔵箱３０の天井壁部３３に係る構成について説明する。貯蔵箱３０は、冷却ファン６０を貯蔵室３０Ａ側（下方）に露出させる開口部３５Ａを有する貯蔵箱本体部３５（内箱本体部）と、開口部３５Ａを塞ぐ天井壁部３３（蓋部）と、を備え、貯蔵箱本体部３５は、底壁部３１と、左右一対の側壁部３２，３２と、後述する延設壁部３２Ａと、後壁部３４と、後述する延設壁部３４Ａによって構成されており、開口部３５Ａは上方に開口されている。より詳しくは、図７に示すように、開口部３５Ａの開口縁部は、延設壁部３２Ａと延設壁部３４Ａによって構成されている。つまり、天井壁部３３を取り外した状態の貯蔵箱３０は、前方且つ上方に開口された箱状をなすものとされる。
【００２８】
図７及び図８に示すように、側壁部３２の上端には、側壁部３２に対して直交する形で延びる延設壁部３２Ａ（フランジ）が側壁部３２の上端の全長に亘って延びている。延設壁部３２Ａは、側壁部３２を構成する金属パネルの上端部を折り曲げることで構成されている。延設壁部３２Ａと天井壁部３３とは複数本のねじ３２Ｂによって互いに締結されている。延設壁部３２Ａには、図８に示すように、ねじ孔３２Ｄが貫通形成され、天井壁部３３の側端部においてねじ孔３２Ｄに対応する箇所には挿通孔３３Ｄが貫通形成されている。天井壁部３３は、延設壁部３２Ａに対して下方から当接しており、ねじ３２Ｂは貯蔵室３０Ａ側（下側）から挿通孔３３Ｄに挿通された後、ねじ孔３２Ｄに螺合されている。これにより、天井壁部３３と延設壁部３２Ａ（貯蔵箱本体部３５の一部）とは、ねじ３２Ｂ（締結部材）によって互いに締結されており、ねじ３２Ｂによる天井壁部３３と貯蔵箱本体部３５との締結を貯蔵室３０Ａ側から解除することが可能な構成となっている。
【００２９】
また、図７及び図９に示すように、後壁部３４の上端には、後壁部３４に対して直交する形で延びる延設壁部３４Ａ（フランジ）が後壁部３４の上端の全長に亘って延びている。延設壁部３４Ａは、後壁部３４を構成する金属パネルの上端部を前方に折り曲げることで構成されている。また、延設壁部３４Ａと天井壁部３３とは複数本のねじ３２Ｂによって互いに締結されている。延設壁部３４Ａには、図９に示すように、ねじ孔３４Ｅが貫通形成され、天井壁部３３の後端部においてねじ孔３４Ｅに対応する箇所には挿通孔３３Ｅが貫通形成されている。天井壁部３３は、延設壁部３４Ａに対して下方から当接しており、ねじ３２Ｂは貯蔵室３０Ａ側（下側）から挿通孔３３Ｅに挿通された後、ねじ孔３４Ｅに螺合されている。これにより、天井壁部３３と延設壁部３２Ａ（貯蔵箱本体部３５の一部）とは、ねじ３２Ｂによって互いに締結されており、ねじ３２Ｂによる天井壁部３３と貯蔵箱本体部３５との締結を貯蔵室３０Ａ側から解除することが可能な構成となっている。
【００３０】
以上のことから、各ねじ３２Ｂを取り外すことで、貯蔵箱３０の天井壁部３３は、図６に示すように、貯蔵箱本体部３５に対して取り外すことができ、貯蔵室３０Ａを通じて天井壁部３３を冷却貯蔵庫１０の前方に取り出すことが可能となっている。そして、天井壁部３３を取り外した状態では、貯蔵箱本体部３５の開口部３５Ａを通じて、エアダクト５０（及び２基の冷却ファン６０）を貯蔵室３０Ａ側（ひいては冷却貯蔵庫１０の前側）から目視することが可能となっている。
【００３１】
次にエアダクト５０の構成について説明する。図１０及び図１１に示すように、エアダクト５０（冷却器室構成壁部）は、ドレンパンを構成する第１壁部５１と、第１壁部５１の前方に配された第２壁部５２と、一対の側壁部５３，５３とを備える。エアダクト５０は、図４に示すように、冷却器２７と貯蔵箱３０の間に介在され、冷却器２７が収容される冷却器室Ｓ２を構成する壁部である。第１壁部５１は、冷却器を下方から覆う形で配されており、後方に向かうにつれて下降傾斜する板状をなしている。冷却貯蔵庫１０においては、冷却器２７の除霜運転が適宜実行される。除霜運転によって生じた冷却器２７からの除霜水は、第１壁部５１で受けられた後、断熱箱１１の後壁部に設けられた配管１７を通って庫外に排出される。また、第１壁部５１の後端は、上述した吹出口５０Ｂを構成するものとされる。
【００３２】
第２壁部５２（シュラウドパネル）は、左右方向に長い板状をなしており、第２壁部５２には、２基の冷却ファン６０が取り付けられている。第２壁部５２には、吸込口５０Ａが形成されている。冷却ファン６０は、第２壁部５２に対して、その上面側から複数本のねじ６１によってねじ止めされており、吸込口５０Ａを覆う形で配されている。つまり、第２壁部５２は、冷却ファン６０を保持するための保持壁部である。そして、第２壁部５２と第１壁部５１とは、複数本のねじ５４（壁部用締結部材）によって互いに締結されている。第１壁部５１の前端部には、図１１に示すように、ねじ孔５１Ｅが貫通形成され、第２壁部の後端部において、ねじ孔５１Ｅに対応する箇所には挿通孔５２Ｅが貫通形成されている。第２壁部５２の後端部は、第１壁部５１の前端部に対して下方から当接しており、ねじ５４は貯蔵室３０Ａ側（下側）から挿通孔５２Ｅに挿通された後、ねじ孔５１Ｅに螺合されている。このため、ねじ５４による第１壁部５１と第２壁部５２との締結を貯蔵室３０Ａ側から解除することが可能な構成となっている。
【００３３】
また、側壁部５３の前端部には、第２壁部５２を上方から受けるフランジ部５３Ａが設けられ、フランジ部５３Ａにはねじ孔５１Ｅが形成されている。このため、第２壁部５２の側端部は、ねじ５４によってフランジ部５３Ａに締結される構成となっている。以上のことから、各ねじ５４を取り外すことで、第２壁部５２は、エアダクト５０における第２壁部５２以外の部分（第１壁部５１、一対の側壁部５３，５３、フランジ部５３Ａ，５３Ａ）から取り外すことができる。また、図６に示すように、第２壁部５２の面積は、開口部３５Ａの面積（天井壁部３３の面積）よりも小さい値で設定されている。つまり、第２壁部５２は開口部３５Ａを通過可能な大きさで設定されており、開口部３５Ａ及び貯蔵室３０Ａを通じて第２壁部５２（ひいては２基の冷却ファン６０）を冷却貯蔵庫１０の前方に取り出すことが可能となっている。
【００３４】
次に本実施形態の効果について説明する。本実施形態によれば、ねじ３２Ｂによる天井壁部３３と貯蔵箱本体部３５との締結を貯蔵室３０Ａ側から解除した後、天井壁部３３を動かすことで開口部３５Ａを開放することができる。これにより、貯蔵室３０Ａ側（下方）から開口部３５Ａを通じて冷却ファン６０の点検や交換を行うことができる。仮に天井壁部３３が貯蔵室３０Ａ側から取り外しできない構成の場合には、図５に示すように、上方から窓孔１６Ａを通じて冷却ファン６０の点検や交換を行う必要がある。
【００３５】
本実施形態では、凝縮器２２と、凝縮器ファン２３と、圧縮機２４、制御部２５、冷却器２７、基台２６がユニット化されることで冷却ユニット１８（図５参照）となっている。このため、上方から窓孔１６Ａを通じて冷却ファン６０の点検や交換を行うためには、冷却ユニット１８を取り外す必要がある。特に冷却器２７は、基台２６から下方に突出する形で設けられているため、冷却ユニット１８を取り外すためには、冷却ユニット１８を持ち上げる必要があり、大掛かりな作業となる。また、冷却ユニット１８を持ち上げるためには、冷却ユニット１８の上方に十分なスペースを確保する必要がある。本実施形態によれば、貯蔵室３０Ａ側（下方）から開口部３５Ａを通じて冷却ファン６０の点検や交換を行うことができるため、冷却ユニット１８を取り外す必要がない。
【００３６】
また、本実施形態では、第２壁部５２を第１壁部５１から取り外した後、開口部３５Ａ及び貯蔵室３０Ａを通じて、冷却貯蔵庫１０の外部に移動させることができる。このため、第２壁部５２に設けられている冷却ファン６０の交換作業を容易に行うことができる。
【００３７】
＜実施形態２＞
次に、本発明の実施形態２を図１２から図１３によって説明する。上記実施形態と同一部分には、同一符号を付して重複する説明を省略する。本実施形態の冷却貯蔵庫２１０では、貯蔵箱２３０の構成が上記実施形態と異なる。貯蔵箱２３０においては、図１２に示すように、天井壁部２３３は、側壁部３２及び後壁部３４に対して取り付けられる天井壁本体部２３６と、蓋部２３７（天井壁部の一部）と、を備える。天井壁本体部２３６は、方形状の板材であり、左右方向に長い方形状の開口部２３６Ａを有する。開口部２３６Ａは、天井壁本体部２３６に貫通形成されている。言い換えると、本実施形態では、底壁部３１（図３参照）と、左右一対の側壁部３２，３２と、後壁部３４と、天井壁本体部２３６によって貯蔵箱本体部２３５（内箱本体部）が構成されており、貯蔵箱本体部２３５が有する開口部２３６Ａが蓋部２３７によって塞がれる構成となっている。
【００３８】
天井壁本体部２３６における開口部２３６Ａの開口縁部には、図１２に示すように、ねじ孔２３６Ｅが貫通形成され、蓋部２３７の周端部においてねじ孔２３６Ｅに対応する箇所には挿通孔２３７Ｅが貫通形成されている。蓋部２３７は、図１３に示すように、天井壁本体部２３６における開口部２３６Ａの開口縁部に対して下方から当接しており、ねじ２３２は貯蔵室３０Ａ側（下側）から挿通孔２３７Ｅに挿通された後、ねじ孔２３６Ｅに螺合されている。これにより、蓋部２３７と天井壁本体部２３６（内箱本体部の一部）とは、ねじ２３２（締結部材）によって互いに締結されており、ねじ２３２による蓋部２３７と貯蔵箱本体部２３５との締結を貯蔵室３０Ａ側から解除することが可能な構成となっている。本実施形態によれば、蓋部２３７が天井壁部２３３の一部であるため、天井壁部２３３の全部が蓋部である構成と比べて、蓋部を小さくすることができ、蓋部を容易に動かすことができる。
【００３９】
＜実施形態３＞
次に、本発明の実施形態３を図１４によって説明する。上記実施形態と同一部分には、同一符号を付して重複する説明を省略する。本実施形態では貯蔵箱の構成が上記各実施形態と相違する。図１４に示すように、本実施形態の貯蔵箱３３０では、蓋部３３７は、天井壁本体部２３６の開口部２３６Ａを上方から塞ぐ構成となっている。蓋部３３７の周端部は、天井壁本体部２３６の上面（より詳しくは、開口部２３６Ａにおける開口縁部の上面）によって下方から支持されている。このようにすれば、蓋部３３７を天井壁本体部２３６の上面に載置した状態で、ねじ２３２の着脱作業を行うことができる。つまり、蓋部３３７を手で支えることなく作業を行うことが可能となるから、作業性をより高くすることができる。
【００４０】
本実施形態において、天井壁部３３３は、蓋部３３７と天井壁本体部２３６とを備える。また、底壁部３１（図３参照）と、左右一対の側壁部３２，３２と、後壁部３４と、天井壁本体部２３６によって貯蔵箱本体部２３５（内箱本体部）が構成されている。また、蓋部３３７は、天井壁本体部２３６に対して貯蔵室３０Ａ側からねじ２３２によって締結されている。つまり、蓋部３３７の周端部には、複数のねじ孔３３７Ｅが形成され、ねじ２３２は、天井壁本体部２３６に形成された挿通孔に挿通された後、ねじ孔３３７Ｅに螺合されている。
【００４１】
＜実施形態４＞
次に、本発明の実施形態４を図１５から図１７によって説明する。上記実施形態と同一部分には、同一符号を付して重複する説明を省略する。本実施形態では貯蔵箱の構成が上記各実施形態と相違する。本実施形態の貯蔵箱４３０では、上記実施形態３と同様に、天井壁本体部４３６の上面に蓋部４３７が載置されている。なお、図１５に示すように、蓋部４３７は、例えば左右方向に長い長手状をなしている。また、天井壁本体部４３６は、その周端部において、側壁部３２及び後壁部３４に組み付けられている。このため、天井壁本体部４３６は組み付ける前の状態では平坦な板状をなしているが、組み付けた状態では自重によって下方に膨出する形で湾曲する場合がある。本実施形態では、自重によって天井壁本体部４３６が下方に膨出する形で湾曲した場合を例示している。蓋部４３７は、天井壁本体部４３６の湾曲形状に倣って湾曲する形状をなしている。つまり、蓋部４３７も下方に膨出する形で湾曲する形状をなしている。このため、天井壁本体部４３６と蓋部４３７によって構成された天井壁部４３３も下方に膨出する形で湾曲する形状をなしている。
【００４２】
図１６に示すように、天井壁本体部４３６が自重によって下方に膨出する形で湾曲している場合において、図１７に示すように、水平方向に沿って延びる平坦な形状をなす蓋部４３９をねじ２３２によって天井壁本体部４３６に締結した場合には、剛性がより低い側の部材（図１７では天井壁本体部４３６を例示している）が撓み変形し、ねじ２３２による締結箇所以外の部分において天井壁本体部４３６と蓋部４３９との間に隙間Ｓ３が生じる。上記構成のように、天井壁本体部４３６が湾曲する形状をなす場合において、蓋部４３７を天井壁本体部４３６の湾曲形状に倣って湾曲する形状とすれば、蓋部４３７と天井壁本体部４３６との間に隙間が生じる事態を抑制することができる。
【００４３】
＜実施形態５＞
次に、本発明の実施形態５を図１８によって説明する。上記実施形態と同一部分には、同一符号を付して重複する説明を省略する。本実施形態では貯蔵箱の構成が上記各実施形態と相違する。本実施形態の貯蔵箱５３０では、天井壁本体部２３６の上面には、一対の保持部５３６，５３６が設けられている。保持部５３６は前後方向に沿って延びる長手状の板材であり、天井壁本体部２３６の上面に取り付けられる第１延設部５３７と、第１延設部５３７に対して高い段差状をなす第２延設部５３８とを備える。第２延設部５３８は、蓋部３３７の側端部を上方から覆う構成となっている。これにより、一対の保持部５３６，５３６は、蓋部２３７を天井壁本体部２３６の上面に沿って前後方向にスライド変位可能に保持するガイドレールの機能を担っている。
【００４４】
一対の保持部５３６，５３６によって蓋部３３７をスライド変位可能に保持することで、開口部２３６Ａを開放した状態と、開口部２３６Ａを塞いだ状態との間で容易に蓋部３３７を変位させることができる。つまり、蓋部３３７が左右方向に位置ずれする事態を抑制することができ、天井壁本体部２３６に対して蓋部３３７を締結する作業を行う際に、蓋部３３７と天井壁本体部２３６との位置合わせをより容易に行うことができる。また、蓋部３３７の上方への変位は、第２延設部５３８によって規制される。このため、貯蔵室３０Ａ側からねじ２３２を締結する際に、蓋部３３７が浮いてしまう事態を抑制できる。
【００４５】
＜実施形態６＞
次に、本発明の実施形態６を図１９によって説明する。上記実施形態と同一部分には、同一符号を付して重複する説明を省略する。本実施形態の冷却貯蔵庫６１０においては、天井壁部６３３が、開口部２３６Ａを有する天井壁本体部２３６と、開口部２３６Ａを上方から塞ぐ蓋部６３７と、を備える。本実施形態では、図１９に示すように、蓋部６３７が、透明な材質（例えばアクリル樹脂等）によって構成されている。このような構成とすれば、蓋部６３７が開口部２３６Ａを塞いだ状態において、貯蔵室３０Ａ側から開口部２３６Ａを通じて冷却ファン６０を目視することができる。このため、蓋部６３７を取り外すことなく、冷却ファン６０が正常に動作しているか否かの確認を行うことができる。なお、蓋部６３７を天井壁本体部２３６に締結するためのねじ２３２は、貯蔵室３０Ａ側からねじ止めされているため、蓋部６３７は、貯蔵室３０Ａ側から取り外すことが可能となっている。
【００４６】
＜実施形態７＞
次に、本発明の実施形態７を図２０によって説明する。上記実施形態と同一部分には、同一符号を付して重複する説明を省略する。本実施形態の冷却貯蔵庫７１０においては、冷却ファン６０の取付構造が上記各実施形態と異なる。本実施形態では、冷却ファン６０と第２壁部５２（冷却器室構成壁部の一部）とは、ねじ７６１（ファン用締結部材）によって互いに締結されている。そして、ねじ７６１による冷却ファン６０と第２壁部５２との締結を貯蔵室３０Ａ（図６参照）側から解除することが可能な構成となっている。上記構成によれば、冷却ファン６０を第２壁部５２から取り外した後、開口部３５Ａ（図６参照）及び貯蔵室３０Ａを通じて、取り外した冷却ファン６０を冷却貯蔵庫７１０の外部に移動させることができる。このため、冷却ファン６０の交換作業を容易に行うことができる。なお、本実施形態の構成は、開口部２３６Ａを有する構成についても適用可能である。
【００４７】
＜実施形態８＞
次に、本発明の実施形態８を図２１から図３０によって説明する。上記実施形態と同一部分には、同一符号を付して重複する説明を省略する。本実施形態においては、貯蔵箱の構成が上記各実施形態と異なる。貯蔵箱８３０は、図２１に示すように、底壁部３１と、一対の側壁部３２，３２と、天井壁部３３と、後壁部８３４と、を備える。後壁部８３４は、左右対称な形状をなす一対のパネル部材８３４Ｌ，８３４Ｒによって分割構成されている。そして、底壁部３１は、断熱箱１１に設けられたブラケット８１６Ｃに対してそれぞれねじ止めされている。また、底壁部３１は、断熱箱１１に設けられたブラケット８１５Ｃの上に載置されている。ブラケット８１５Ｃは、断熱箱１１の内面のうち上方を向く上面１５Ｃに設けられ、ブラケット８１６Ｃは、断熱箱１１の内面のうち側方を向く側面１５Ｄに設けられている。なお、図示しないが、ブラケット８１６Ｃは、断熱箱１１の内面のうち左側を向く側面（図示せず）にも設けられている。
【００４８】
また、側壁部３２は、断熱箱１１の側面１５Ｄに設けられた一対のブラケット８１５Ｄ，８１５Ｄに対してねじ止めされている。また、後壁部３４を構成する一対のパネル部材８３４Ｌ，８３４Ｒは、断熱箱１１の内面のうち前方を向く前面１５Ｂに設けられたブラケット８１５Ｂに対してそれぞれねじ止めされている。また、天井壁部３３は、上記実施形態１と同様に側壁部３２に設けられた延設壁部３２Ａに対して下方からねじ止めされている。つまり、本実施形態では、底壁部３１と、一対の側壁部３２，３２と、後壁部８３４によって貯蔵箱本体部８３５が構成されており、天井壁部３３は貯蔵箱本体部８３５が有する開口部を塞ぐ蓋部の一例である。
【００４９】
このような構成とすれば、底壁部３１、側壁部３２、後壁部８３４をそれぞれ個別に断熱箱１１に対して組み付けた後、天井壁部３３を組み付けることで、貯蔵箱８３０とすることができる。このため、底壁部３１、側壁部３２、天井壁部３３、後壁部８３４を組み付けて貯蔵箱８３０とした後、断熱箱１１の内部に貯蔵箱８３０を入れて組み付ける構成と比べて、組み付け作業を容易に行うことができる。なお、底壁部３１、側壁部３２、後壁部８３４はねじ以外の締結部材（リベット等）によって断熱箱１１に組み付けられていてもよい。
【００５０】
また、本実施形態では、図２２に示すように、断熱箱１１の内面のうち下方を向く下面１５Ａ（断熱箱１１を構成する内装部材１１Ｂの下面）において、窓孔１６Ａの左右両側となる位置には、天井壁部３３を仮固定するためのブラケット８７０がそれぞれ設けられている。図２３に示すように、ブラケット８７０は板状をなし、下面１５Ａに取り付けられる一対の基端部８７１，８７１と、一対の側壁部８７２，８７２と、一対の側壁部８７２，８７２の下端同士を接続する底壁部８７３と、を備える。
【００５１】
図２１に示すように、天井壁部３３の上面において、ブラケット８７０に対応する箇所にはフック８８０が設けられている。フック８８０は、図２４に示すように、板状をなし、天井壁部３３にねじ止めされる基端部８８１と、基端部８８１の後端から立ち上がる立壁部８８２と、立壁部８８２の上端から後方（図２４では右側）に延びる延設壁部８８３と、延設壁部８８３の後端から下方に延びる延設壁部８８４と、を備える。
【００５２】
天井壁部３３を側壁部３２に設けられた延設壁部３２Ａに対して組み付ける際には、図２３に示すように、ブラケット８７０にフック８８０を引っ掛けるようにする。これにより、ブラケット８７０の底壁部８７３によってフック８８０の延設壁部８８３が支持されることで、天井壁部３３を吊り下げた状態で固定（仮固定）することができる。これにより、作業者は、天井壁部３３を支持することなく、組み付け作業を行うことができ、作業性が良好なものとなる。なお、天井壁部３３を延設壁部３２Ａに対して組み付けた状態では、図２４に示すように、延設壁部８８３は底壁部８７３から浮いた状態となる。
【００５３】
また、図２１に示すように、天井壁部３３の上面における後端部には、複数（本実施形態では３つ）の保持部８５０（保持片）が設けられている。保持部８５０は、板状をなし、図２５に示すように、天井壁部３３に取り付けられる基端部８５１と、基端部８５１の後端から立ち上がる立壁部８５２と、立壁部８５２の上端から後方に向かうにつれて下降傾斜する形で延びる延設壁部８５３と、延設壁部８５３の後端から後方に向かうにつれて上昇傾斜する形で延びる延設壁部８５４と、を備える。
【００５４】
また、図２６に示すように、後壁部８３４の上端部には、左右方向に長い延設壁部８３６が設けられている。延設壁部８３６は、後壁部８３４の上端から前方に向かって延びている。図２５に示すように、延設壁部８３６は、延設壁部８５３及び延設壁部８５４の境界部分８５５と、天井壁部３３の後端の折り返し部３３Ｆとの間で挟持されている。このような構成とすれば、天井壁部３３の後端部を保持することができ、天井壁部３３を組み付ける際に位置決めを行うことができる。なお、折り返し部３３Ｆは、天井壁部３３を構成するパネル部材を前方に折り返すことで構成されている。また、本実施形態の保持部８５０の代わりに、図２７に示すような、左右方向に長い保持部８６０が設けられていてもよい。
【００５５】
また、図２８に示すように、後壁部８３４を構成するパネル部材（例えばパネル部材８３４Ｌ）を断熱箱１１に組み付ける際には、底壁部３１を組み付けた後に組み付け作業を行う。パネル部材８３４Ｌの上部には、図２９及び図３０に示すように、貫通孔８３７が貫通形成されている。貫通孔８３７は、だるま孔とされ、円形状をなす第１孔８３８と、第１孔８３８と連通する第２孔８３９と、を有する。第２孔８３９は、第１孔８３８の上方に配され、左右方向の長さが、第１孔８３８の直径よりも小さい値で設定されている。
【００５６】
ブラケット８１５Ｂにおいて貫通孔８３７に対応する箇所には、パネル部材８３４Ｌを仮固定するためのねじ８２０が設けられている。図３０に示すように、第１孔８３８の直径は、ねじ８２０の頭部８２１の直径よりも大きい値で設定されている。このため、パネル部材８３４Ｌをブラケット８１５Ｂに取り付ける際には、頭部８２１を後方から第１孔８３８に挿通した後、パネル部材８３４Ｌをわずかに下げることで、頭部８２１に対して第２孔８３９の孔縁部を後方から係止させることができる。このようにすれば、ねじ８２０に対してパネル部材８３４Ｌを仮固定することができ、組み付けに係る作業性が良好なものとなる。なお、貫通孔８３７はパネル部材８３４Ｒにも形成されている。パネル部材８３４Ｌをねじ８２０に対して仮固定すれば、組み付け時にパネル部材８３４Ｌが倒れたりする事態を抑制することができる。この結果、例えばパネル部材８３４Ｌの下方にある底壁部３１をより確実に保護することができる。
【００５７】
＜実施形態９＞
次に、本発明の実施形態９を図３１によって説明する。上記実施形態と同一部分には、同一符号を付して重複する説明を省略する。本実施形態においては、フックの構成が上記実施形態と異なる。図３１に示すように、本実施形態のフック９８０においては、延設壁部９８４が延設壁部８８３の前端から下方に向かうにつれて前方に向かう形で傾斜するものとされる。なお、図３１では、ブラケット８７０に引っ掛ける前の状態のフック９８０に符号９８０Ａを付すと共に２点鎖線で図示しており、フック９８０Ａの延設壁部９８４に符号９８４Ａを付している。
【００５８】
本実施形態では、作業者は、天井壁部３３を後方に動かして、フック９８０をブラケット８７０に引っ掛けるようにする。フック９８０をブラケット８７０に引っ掛ける際に、延設壁部９８４Ａが前方から底壁部８７３に当接した場合には、延設壁部９８４Ａが底壁部８７３に対して摺動する結果、フック９８０が前方に変位するにつれてフック９８０が上昇する。このため、ブラケット８７０に対してフック９８０を容易に引っ掛けることができる。また、延設壁部９８４を下方に向かうにつれて前方に向かう形で傾斜するようにすれば、フック９８０がブラケット８７０に引っ掛かった状態では、底壁部８７３に対して延設壁部９８４が下方から係止することができるため、フック９８０が上方に動きにくくなり、ブラケット８７０からフック９８０が外れる事態を抑制することができる。
【００５９】
＜実施形態１０＞
次に、本発明の実施形態１０を図３２によって説明する。上記実施形態と同一部分には、同一符号を付して重複する説明を省略する。本実施形態においては、ブラケットの構成が上記実施形態と異なる。本実施形態では、図３２に示すように、ブラケット８７０の底壁部８７３に板状のガイド部８７４が設けられている。ガイド部８７４は、底壁部８７３の前端から下方に延びると共に、下方に向かうにつれて前方に向かう形で傾斜するものとされる。これにより、フック９８０をブラケット８７０に引っ掛ける際には、ガイド部８７４によってフック９８０がガイドされることで、ブラケット８７０に対してフック９８０を容易に引っ掛けることができる。
【００６０】
＜実施形態１１＞
次に、本発明の実施形態１１を図３３から図３４によって説明する。上記実施形態と同一部分には、同一符号を付して重複する説明を省略する。本実施形態においては、天井壁部の後端を保持するための保持部の構成が上記実施形態８と異なる。本実施形態の天井壁部３３には、図３３に示すように、保持部９５０が一体的に形成されている。保持部９５０は、天井壁部３３を構成するパネル部材の後端部を曲げることで構成されている。
【００６１】
保持部９５０は、板状をなし、図３４に示すように、天井壁部３３の後端から前方に向かう形で延びる延設壁部９５１と、延設壁部９５１の前端から立ち上がる形で延びる延設壁部９５２と、延設壁部９５２の上端から後方に向かうにつれて下降傾斜する形で延びる延設壁部９５３と、延設壁部９５３の後端から後方に向かうにつれて上降傾斜する形で延びる延設壁部９５４と、を備える。本実施形態では、延設壁部８３６は、延設壁部９５３及び延設壁部９５４の境界部分９５５と、延設壁部９５１との間で挟持されている。このような構成とすれば、天井壁部３３の後端部を保持することができ、天井壁部３３を組み付ける際に位置決めを行うことができる。
【００６２】
＜他の実施形態＞
本発明は上記記述及び図面によって説明した実施形態に限定されるものではなく、例えば次のような実施形態も本発明の技術的範囲に含まれる。
（１）上記実施形態では、冷却器２７及び冷却ファン６０が貯蔵箱の上方に配されている構成を例示したが、これに限定されない。例えば、機械室と貯蔵室が水平方向に沿って並んでいてもよく、冷却器２７及び冷却ファン６０が貯蔵箱の側方に配されていてもよい。この場合、貯蔵箱の側壁部に冷却ファン６０を露出させる開口部が形成されている構成や、側壁部を貯蔵室側から取り外せるような構成としてもよい。
（２）天井壁本体部に形成された開口部の形状や大きさは上記実施形態で例示されたものに限定されず適宜変更可能である。
（３）天井壁部３３と貯蔵箱本体部３５との締結構造は、上記実施形態１で例示したものに限定されない。例えば、天井壁部３３の周端に、その周端から下方に延びるフランジを設け、このフランジを側壁部３２の上端部や後壁部３４の上端部に対して貯蔵室３０Ａ側からねじ止めする構成としてもよい。
（４）締結部材は、ねじに限定されず、例えば、ボルト及びナットを用いてもよい。ボルト及びナットを用いた場合には、天井壁部３３に対してナットを貯蔵室３０Ａ側に配することで貯蔵室３０Ａ側からナットをボルトに対して容易に着脱することができ、好適である。
【符号の説明】
【００６３】
１０，２１０，６１０，７１０…冷却貯蔵庫、１１…断熱箱（外箱）、１５Ａ…下面（外箱の内面）、１５Ｂ…前面（外箱の内面）、１５Ｃ…上面（外箱の内面）、１５Ｄ…側面（外箱の内面）、２７…冷却器、３０，２３０，４３０，８３０…貯蔵箱（内箱）、３０Ａ…貯蔵室、３２Ｂ，２３２…ねじ（締結部材）、３３，９３３…天井壁部（蓋部）、３５，２３５，８３５…貯蔵箱本体部（内箱本体部）、３５Ａ，２３６Ａ…開口部、５０…エアダクト（冷却器室構成壁部）、５１…第１壁部、５２…第２壁部、５４…ねじ（壁部用締結部材）、６０…冷却ファン、２３３，３３３，４３３，６３３，９３３…天井壁部、２３６，４３６…天井壁本体部、２３７，３３７，４３７，６３７…蓋部、５３６…保持部、７６１…ねじ（ファン用締結部材）、Ｓ１…冷気通路（空間）、Ｓ２…冷却器室
【図１】
2020106171.tif 000003
【図２】
2020106171.tif 000004
【図３】
2020106171.tif 000005
【図４】
2020106171.tif 000006
【図５】
2020106171.tif 000007
【図６】
2020106171.tif 000008
【図７】
2020106171.tif 000009
【図８】
2020106171.tif 000010
【図９】
2020106171.tif 000011
【図１０】
2020106171.tif 000012
【図１１】
2020106171.tif 000013
【図１２】
2020106171.tif 000014
【図１３】
2020106171.tif 000015
【図１４】
2020106171.tif 000016
【図１５】
2020106171.tif 000017
【図１６】
2020106171.tif 000018
【図１７】
2020106171.tif 000019
【図１８】
2020106171.tif 000020
【図１９】
2020106171.tif 000021
【図２０】
2020106171.tif 000022
【図２１】
2020106171.tif 000023
【図２２】
2020106171.tif 000024
【図２３】
2020106171.tif 000025
【図２４】
2020106171.tif 000026
【図２５】
2020106171.tif 000027
【図２６】
2020106171.tif 000028
【図２７】
2020106171.tif 000029
【図２８】
2020106171.tif 000030
【図２９】
2020106171.tif 000031
【図３０】
2020106171.tif 000032
【図３１】
2020106171.tif 000033
【図３２】
2020106171.tif 000034
【図３３】
2020106171.tif 000035
【図３４】
2020106171.tif 000036